(57)【要約】      （修正有）【課題】回路基板のシグナルグランドと接続するシールドと、筐体グランドとなるシールドとの間の絶縁構造を簡素化する。【解決手段】開口面が形成された樹脂製の第１ケース１１０と、開口面を覆う樹脂製の第２ケース１４０とで筐体を構成する電子機器１００であって、第１ケース側内面に配置された回路基板１２０と、回路基板と第２ケースとの間に配置され、回路基板のシグナルグランドと接続した第１シールド１３０と、第２ケースの外面側に配置され、第１シールドと電気的に絶縁された筐体グランドとなる第２シールド１５０と、を備えたことを特徴とする。【選択図】図１
2018200989.tif 000002
【特許請求の範囲】
【請求項１】
開口面が形成された樹脂製の第１ケースと、前記開口面を覆う樹脂製の第２ケースとで筐体を構成する電子機器であって、
前記第１ケース側内面に配置された回路基板と、
前記回路基板と前記第２ケースとの間に配置され、前記回路基板のシグナルグランドと接続した第１シールドと、
前記第２ケースの外面側に配置され、前記第１シールドと電気的に絶縁された筐体グランドとなる第２シールドと、
を備えたことを特徴とする電子機器。
【請求項２】
前記第２シールドが化粧用シートで覆われていることを特徴とする請求項１に記載の電子機器。
【請求項３】
前記回路基板が高電圧アナログ信号を扱うことを特徴とする請求項１または２に記載の電子機器。
【発明の詳細な説明】
【技術分野】
【０００１】
本発明は、電子機器における絶縁構造の簡素化に関する。
【背景技術】
【０００２】
例えば、高電圧アナログ信号を扱う電子機器では、樹脂製の筐体内にシールド部品と絶縁部品を収める構成とすることが一般的に行なわれている。図２は、そのような電子機器の一例として、データレコーダ等に用いられる測定モジュール３００の従来の構成を示す図である。
【０００３】
本図に示すように、測定モジュール３００は、樹脂製の第１ケース３１０と第２ケース３７０とで筐体を構成しており、第１ケース３１０側に高電圧アナログ信号を扱う回路基板３２０が収められている。回路基板３２０は、入力端子３２４を備えており、第１ケース３１０の側面から外部に露出している。
【０００４】
また、回路基板３２０の所定個所を覆うように金属製の第１シールド３３０が配置されている。第１シールド３３０は、回路基板３２０のシグナルグランドに接続している。
【０００５】
第２ケース３７０側には、金属製の第２シールド３６０が接地用ブラケット３８０により取り付けられており、筐体グランドとなっている。第１シールド３３０と、第２シールド３６０とは電気的に絶縁する必要があるため、絶縁部材として、第１絶縁シート３４０、第２絶縁シート３５０、第３絶縁シート３６４が配置されている。これらの絶縁シートのうち、第２絶縁シート３５０は、第１シールド３３０と第２シールド３６０との間に広く介在している。
【０００６】
測定モジュール３００は、図３に示すように、データレコーダ４００に設けられたスロットに挿入されて用いられる。本図の例では、最大８個の測定モジュール３００（３００ａ〜３００ｈ）が挿入できるようになっている。このように、測定モジュール３００は、データレコーダ４００のスロットに挿入されるため、その外形とサイズに制約がある。
【先行技術文献】
【特許文献】
【０００７】
【特許文献１】特開２００４−３６３４４５号公報
【発明の概要】
【発明が解決しようとする課題】
【０００８】
安全規格ＩＥＣ６１０１０等を満たすため、第１シールド３３０と第２シールド３６０との間における電気的絶縁のための離間距離を確保する必要がある。また、入力端子３２４や回路基板３２０と第２シールド３６０との離間距離も必要である。
【０００９】
しかしながら、測定モジュール３００は、限られた空間内に各種部品が密集しているため、第１絶縁シート３４０、第２絶縁シート３５０、第３絶縁シート３６４等の多くの絶縁部品を介在させることで離間距離を確保せざるを得なかった。
【００１０】
これにより、構成部品点数の増加、組立性の悪化、コストアップ、離間距離検証の複雑化等を招いていた。
【００１１】
そこで、本発明は、回路基板のシグナルグランドと接続するシールドと、筐体グランドとなるシールドとの間の絶縁構造を簡素化することを目的とする。
【課題を解決するための手段】
【００１２】
上記課題を解決するため、本発明の電子機器は、開口面が形成された樹脂製の第１ケースと、前記開口面を覆う樹脂製の第２ケースとで筐体を構成する電子機器であって、前記第１ケース側内面に配置された回路基板と、前記回路基板と前記第２ケースとの間に配置され、前記回路基板のシグナルグランドと接続した第１シールドと、前記第２ケースの外面側に配置され、前記第１シールドと電気的に絶縁された筐体グランドとなる第２シールドと、を備えたことを特徴とする。
ここで、前記第２シールドが化粧用シートで覆われていてもよい。
また、前記回路基板が高電圧アナログ信号を扱うものであってもよい。
【発明の効果】
【００１３】
本発明によれば、回路基板のシグナルグランドと接続するシールドと、筐体グランドとなるシールドとの間の絶縁構造を簡素化することができる。
【図面の簡単な説明】
【００１４】
【図１】本実施形態の測定モジュールの構成を示す図である。
【図２】従来の測定モジュールの構成を示す図である。
【図３】測定モジュールの使用形態を説明する図である。
【発明を実施するための形態】
【００１５】
本発明の実施の形態について図面を参照して説明する。図１は、本実施形態に係る測定モジュール１００の構成を示す図である。測定モジュール１００は、例えば、図３に示したようなデータレコーダ４００に設けられたスロットに挿入されて用いられる。
【００１６】
本図に示すように、測定モジュール１００は、開口面Ｆが形成された樹脂製の第１ケース１１０と、開口面Ｆを覆う樹脂製の第２ケース１４０とで筐体を構成しており、第１ケース１１０側に１０００Ｖ程度の高電圧アナログ信号を扱う回路基板１２０が収められている。回路基板１２０は、入力端子１２４を備えており、第１ケース１１０の側面から外部に露出している。
【００１７】
なお、回路基板１２０は、高電圧アナログ信号以外の信号を扱うものであってもよい。また、第１ケース１１０、第２ケース１４０は、複数の部材が組み合わされて構成されていてもよい。
【００１８】
また、回路基板１２０の所定個所を覆うように金属製の第１シールド１３０が配置されている。第１シールド１３０は、回路基板１２０のシグナルグランドに接続している。
【００１９】
そして、第１シールドの上方から第２ケース１４０をかぶせて測定モジュール１００の筐体を形成する。筐体グランドとなる第２シールド１５０は、第２ケース１４０の外面Ｇに配置する。このため、第２ケース１４０の外面Ｇには、第２シールド１５０を収めるための窪み１４２が形成されている。また、第２シールド１５０を化粧用シート１６０で覆うようにしているが、化粧用シート１６０は省いてもよい。
【００２０】
第２シールド１５０は、従来の接地用ブラケット３８０を兼ねた形状としており、第１ケース１１０および第２ケース１４０に固定される。これにより、従来の接地用ブラケット３８０が不要となる。
【００２１】
第２シールド１５０を第２ケース１４０の外面Ｇに配置することで、第１シールド１３０と第２シールド１５０との間には、樹脂製の第２ケース１４０が介在することになる。第２ケース１４０により第１シールド１３０と第２シールド１５０との絶縁性能が確保されるため、絶縁シートを用いる必要もなくなり、構成を簡易化することができるとともに、組立性が改善される。これにより、コストダウンも期待される。
【００２２】
従来は、ケース内で絶縁部品を跨いでの離間距離計測が必要であったが、本実施形態は樹脂製の第２ケース１４０で両シールドを完全に隔てることから、ケース内で絶縁部品を跨いでの離間距離計測が不要となり、離間距離の検証を簡素化することができる。
【００２３】
また、両シールドを筐体内に収める場合に比べ、第１シールド１３０と第２シールド１５０との距離を長くすることができるため、両シールド間に生じる容量成分が減り、回路基板１２０における信号への悪影響を軽減することができる。
【００２４】
本発明は、測定モジュール１００のみならず、回路基板のシグナルグランドと接続するシールドと、筐体グランドとなるシールドとの間の絶縁構造を有する電子機器に広く適用することができる。
【符号の説明】
【００２５】
１００…測定モジュール
１１０…第１ケース
１２０…回路基板
１２４…入力端子
１３０…第１シールド
１４０…第２ケース
１４２…窪み
１５０…第２シールド
１６０…化粧用シート
【図１】
2018200989.tif 000003
【図２】
2018200989.tif 000004
【図３】
2018200989.tif 000005